(57)【特許請求の範囲】
【請求項１】
浴室内の空気を吸い込んで熱交換器で加熱して吐出口から浴室内に吐出するようにした浴室暖房乾燥機において、熱交換器と吐出口との間の流路に熱交換器に接続した放熱部材を設け、熱交換器に接続する配管を固定するための配管押え金具を備え、該配管押え金具に配管を固定するための孔部を設けると共に該孔部を配管の管径に応じて大きさを調整自在として成ることを特徴とする浴室暖房乾燥機。
【請求項２】
放熱部材に熱交換器から吐出口までの流路における気流調整機能を設けて成ることを特徴とする請求項１記載の浴室暖房乾燥機。
【請求項３】
外部から内部に導入する配管を他方向から導入可能なように配管用孔部を多数設けて成ることを特徴とする請求項１記載の浴室暖房乾燥機。
【発明の詳細な説明】
【０００１】
【発明の属する技術分野】
本発明は、浴室内を暖房・乾燥室として機能させることができる浴室暖房乾燥機に関する。
【０００２】
【従来の技術】
従来から浴室内を暖房・乾燥室として機能させることができる浴室暖房乾燥機７が知られている。この浴室暖房乾燥機７は図２５に示すようなもので、浴室暖房乾燥機７は浴室内の天井や壁等に設置され、浴室外に設置した貯湯器と上記浴室暖房乾燥機７内に設けた熱交換器１とを浴室の天井や壁等に配設した循環パイプにより接続していた。そして、浴室暖房乾燥機７に、内装した循環ファンブロック１４を駆動することで吸い込み口から浴室内の空気を吸い込み、熱交換器１により吸い込んだ空気を加熱し、吐出口から浴室内に温風として送風することで、浴室内を乾燥・暖房するようにしていた。
【０００３】
上記のような浴室暖房乾燥機７においては、加熱手段である熱交換器１とは別の部材により熱交換器１から吐出口までの流路が形成してあった。
【０００４】
【発明が解決しようとする課題】
上記のように加熱手段である熱交換器１とは別の部材により熱交換器１から吐出口までの流路を形成してあるため、熱交換器１部分で熱交換により加熱された温風が熱交換器１から吐出口までの流路を形成する部材に伝わって一部の熱を外部に逃がし、効率よく熱出力を発生できないという問題があった。
【０００５】
また、従来にあっては、熱交換器１から吐出口までの流路に気流調整機能を設けようとした場合、気流調整専用の特別な部材であるスタビライザーを必要とするという問題があった。
更に、従来にあっては、外部から浴室暖房乾燥機７内に導入した配管を熱交換器１に接続するのであるが、この配管を浴室暖房乾燥機７内部で浴室暖房乾燥機７のハウジングに固定するようになっていないので、配管の接続作業がしにくいという問題があった。
【０００６】
また、従来にあっては、浴室暖房乾燥機７には一方向からのみ配管を導入できるようにしてあるにすぎず、このため、室内における配管の設置範囲が限定され、浴槽暖房乾燥機７の設置場所が限定されてしまうという問題があった。
本発明は上記の従来例の問題点に鑑みて発明したものであって、本発明の課題は、効率よく空気を加熱して熱損失を抑えることができ、また、気流調整専用の特別な部材を必要とせずに気流調整ができ、更に、配管の接続作業がし易く、また、種々の径の配管を一つの部材で押えて固定でき、更に、室内における配管設置範囲が広がり、浴槽暖房乾燥機の設置場所を自由に設定できるようにすることにある。
【０００７】
【課題を解決するための手段】
上記課題を達成するために、本発明の浴室暖房乾燥機は、浴室内の空気を吸い込んで熱交換器１で加熱して吐出口２から浴室内に吐出するようにした浴室暖房乾燥機７において、熱交換器１と吐出口２との間の流路に熱交換器１に接続した放熱部材３を設け、熱交換器１に接続する配管５を固定するための配管押え金具４を備え、該配管押え金具４に配管５を固定するための孔部６を設けると共に該孔部６を配管５の管径に応じて大きさを調整自在として成ることを特徴とするものである。このような構成とすることで、熱交換器１からの熱を熱交換器１と吐出口２との間の流路に設けた放熱部材３により放熱して該流路を流れる温風を更に加熱して吐出口２から吐出し、このことで空気を効果的に加熱ができるものであり、また、配管５を配管押え金具４により固定した状態で配管５を熱交換器１に接続することができて、接続作業が容易に行えることになる。また、配管５の管径が異なる場合には配管５を固定する孔部６の大きさを調整することで、異なる管径の配管５に一つの部材により対応できることになる。
【０００８】
また、放熱部材３に熱交換器１から吐出口２までの流路における気流調整機能を設けることも好ましい。このような構成とすることで、放熱部材３をそのまま気流調整をするための部材として兼用して、吐出風の風量を調整することができるものである。
【０００９】
また、外部から内部に導入する配管５を他方向から導入可能なように配管用孔部８を多数設けることも好ましい。このような構成とすることで、配管５を外部から内部に導入する場合に、多方向からの導入が可能で、この結果、室内の配管設置範囲が広がり、また、浴室暖房乾燥機７の設置場所を自在に設定することができることになる。
【００１０】
【発明の実施の形態】
以下本発明の実施形態を添付図面に基づいて説明する。
図１、図２に示すように、浴室の天井９や壁１０には温水等を循環する配管５を配設してあり、この配管５を施した浴室の天井９や壁１０に浴室暖房乾燥機７を設置し、上記配管５を浴室暖房乾燥機７の熱交換器１に接続してある。
【００１１】
浴室暖房乾燥機７は図３乃至図７に示すように、ハウジング１１内に加熱手段である熱交換器１と、モータ１２とクロスフローファンのような循環ファン１３によって構成される送風手段である循環ファンブロック１４と、電源ブロック５０とを内装して構成してある。
ハウジング１１の正面は開口していてこの開口部に吸い込み口１５を有するグリル板１６が装着されるようになっており、グリル板１６には更に吐出口２を有する吐出口ルーバ１７と着脱フィルター１８が取付けてある。
【００１２】
上記のようにハウジング１１の前面にグリル板１６を取付けることで、吸い込み口→熱交換器１→循環ファン→吐出口２という空気が流れる流路が浴室暖房乾燥機７内に形成される。ここで、本発明においては、上記流路のうち熱交換器１から吐出口２に至る流路に熱交換器１に接続した放熱部材３が設けてあって、該流路の一部を構成している。放熱部材３は金属等の熱伝導性の高い材料で形成されている。
【００１３】
熱交換器１内部には温水が通過できるパイプ部２０が形成されており、このパイプ部２０の端部が外部から浴室暖房乾燥機７内に導入された配管５と接続され、パイプ部２０を温水が流れることで温水の熱を熱交換器１に設けた放熱フィン２１から放熱し、循環ファンブロック１４の運転により図２４の矢印に示すように、吸い込み口１５から吸い込まれた空気を加熱し、このように熱交換器１で加熱した空気を吐出口２から浴室内に吐出するようになっている。
【００１４】
この場合、熱交換器１に接続した放熱部材３を上記のように熱交換器１から吐出口２に至る流路に設けてあって該径路の一部を構成しているので、熱交換器１の熱が放熱部材３に伝熱し、放熱部材３から放熱して熱交換器１から吐出口２に至る流路を流れる熱交換器１で加熱された空気を更に加熱し、吐出口２から浴室内に吐出するのである。このように、放熱部材３を設けることで、放熱する比表面積が増加し、熱交換器１から吐出口２に至る流路部分における熱損失を少なくし、効率良く放熱することができるものである。
【００１５】
放熱部材３は図８乃至図１０に示すようになっており、断面略コ字状をしていて、下部の固定片２２に長孔２３が設けてあり、該長孔２３からねじ具２４を挿入して熱交換器１に設けたねじ孔２５に螺合することで放熱部材３を熱交換器１に取付けている。ここで、長孔２３に沿ってスライドさせることで、図１１の実線から破線のように循環ファン１３から放熱部材３までの隙間幅を調整することができ、この結果、放熱部材３を気流を調整するための部材であるスタビライザーとしての機能、つまり、熱交換器１から吐出口２までの流路における気流調整機能を持たせることができ、効率よく風量を出すことが可能となり、又騒音も低下させることができるものである。
【００１６】
また、図５に示すように放熱部材３にフィン３ａを設けておくと、放熱部材３の放熱面積を増大させることができて、熱交換器１から吐出口２までの流路においてより効果的に空気を加熱することができるものである。
ところで、ハウジング１１には配管用孔部８を設けて外部からハウジング１１内部に配管５を導入するようになっている。ここで、ハウジング１１内部に導入された配管５は既に述べたように熱交換器１に設けたパイプ部２０が接続されるのであるが、ハウジング１１内部に導入された配管５は配管押え金具４によりハウジング１１に固定されるようになっており、このように外部からハウジング１１内に導入した配管５を配管押え金具４によりハウジング１１に固定することで、配管５を簡単且つ確実に熱交換器１に設けたパイプ部２０に接続することができる。図１２は接続前の状態を示しており、図１３は配管押え金具４で配管５をハウジング１１に固定した状態で、配管５を熱交換器１に設けたパイプ部２０に接続した状態を示している。
【００１７】
配管５は外管５ａ内に往路用と復路用の２本の温水管５ｂを挿通して構成してあり、上記配管押え金具４においては外管５ａの端部が固定されるものであり、この配管押え金具４部分により固定される外管５ａの端部から温水管５ｂの端部が突出し、この外管５ａから突出した温水管５ｂの端部をパイプ部２０に接続するようにしている。配管押え金具４は図に示すように略Ｌ字状をしており、一片部４ａに配管５を固定する孔部６が形成してある。この孔部６の縁部分にはノックアウト用切溝部３０が設けてあって、ノックアウト用切溝部３０の内側が内側縁部３１となり且つ外側が外側縁部３２となっており、この内側縁部３１と外側縁部３２とは複数箇所において切断用継片３０ａ部分を介して連設してある。そして、配管５の外管５ａの管径に応じて、切断用継片３０ａを切断しないで使用する場合と、切断用継片３０ａを切断して使用する場合とで配管５を固定する孔部６の大きさを変えることができるようになっている。
【００１８】
図１５においては切断用継片３０ａを切断することなく孔部６に通した配管５の外管５ａを内側縁部３１により押えて固定する例であり、配管押え金具４の他片４ｂをハウジング１１に突設した一対のボス３４に当てた状態で該他片４ｂに設けた長孔４ｃから挿入したねじ具２４をボス３４に螺合して取付けている。
また、図１６は切断用継片３０ａを切断して孔部６を大きくし、この大きくした孔部６に通した配管５の外管５ａを外側縁部３２により押えて固定する例が示してある。
【００１９】
なお、図に示す実施形態においては外管５ａは丸管であるが、変形自在となっており、配管押え金具４の孔部６に通して押えることで図１５に示すように固定部分においては非円形の断面に変形されて固定されるようになっている。
ハウジング１１に設ける配管用孔部８はハウジング１１の複数箇所に設けてあり、添付図面に示す実施形態においては、図１８に示すように、ハウジング１１の背面部、上面部、左側面部、右側面部にそれぞれ配管用孔部８が設けてある。ここで、ハウジング１１の背面部に設けた配管用孔部８は予め穿孔されているが、他の箇所に設けた配管用孔部８は遮蔽片３６により遮蔽してあって、遮蔽片３６をノックアウトすることで必要な時に通孔するようになっている。遮蔽片３６はハウジング１１の側面片や上面片とノックアウト用リブ３７を介して連結してある。図１９（ａ）は遮蔽片３６をノックアウトする前の状態、図１９（ｂ）は遮蔽片３６をノックアウトして配管用孔部８を形成した状態を示している。
【００２０】
図２０にはハウジング１１の左側面に設けた配管用孔部８をノックアウトにより形成して配管５を左側からハウジング１１内に導入する例を示し、図２１はハウジング１１の右側面に設けた配管用孔部８をノックアウトにより形成して配管５を右側からハウジング１１内に導入する例を示し、図２２はハウジング１１の背面部からハウジング１１の背面に設けた配管用孔部８を通して配管５を導入する例を示す、図２３はハウジング１１の上面に設けた配管用孔部８をノックアウトにより形成して配管５を上方からハウジング１１内に導入する例を示している。
【００２１】
このように、背面部以外から配管５を導入する場合には該当する箇所の配管用孔部８をノックアウトすることで、他の部分においては配管用孔部８が遮蔽片３６により遮蔽され、外観を損なわないと共に水分やほこりの侵入を防止するようになっている。
ところで、図に示す実施形態においては図３に示すように正面から見てハウジング１１内における左側の端部付近に熱交換器１に設けたパイプ部２０の端部の接続部分が位置するので、右側から配管５をハウジング１１内に導入するにはハウジングを長く横切る必要がある。このため、本発明においては、図１７に示すようにハウジング１１の背面に配管挿通用溝部４０を設け、該配管挿通用溝部４０の一端部を正面視で右側（背面視で左側）に位置する配管用孔部８と対向させ、更に、配管挿通用溝部４０の他端部をハウジング１１の背面部に設けた段部４１に形成せる導入孔４２に対向させてあり、この導入孔４２がハウジング１内の正面から見て左側の端部付近に開口するようにしてある。そして、配管５を図２１のように正面から見て右側から導入する場合には、右側の側面の配管用孔部８をノックアウトにより形成し、配管５を配管用孔部８から配管挿通用溝部４０に通し、導入孔４２からハウジング１内の正面から見て左側の端部付近に導入し、図１５のように配管押え金具４により配管５を押えてハウジング１１に固定するものである。図１８において７０は浴室暖房乾燥機７を壁に取付ける場合に用いる取付け金具であり、配管挿通用溝部４０はこの取付け金具７０により閉じられるものである。
【００２２】
ところで、配管押え金具４を取付けるためのボス３４は、配管５をハウジング１１の左側から導入した場合、右側から導入した場合、上側から導入した場合等いずれの場合にも配管押え金具４を取付けることができるように複数組形成してある。
【００２３】
【発明の効果】
本発明の請求項１記載の発明にあっては、上述のように、浴室内の空気を吸い込んで熱交換器で加熱して吐出口から浴室内に吐出するようにした浴室暖房乾燥機において、熱交換器と吐出口との間の流路に熱交換器に接続した放熱部材を設けてあるので、熱交換器からの熱を熱交換器と吐出口との間の流路に設けた放熱部材により放熱して該流路を流れる温風を更に加熱して吐出口から吐出し、このことで空気を効果的に加熱ができ、熱損失を抑えてエネルギーを有効に活用することができるものであり、また、熱交換器に接続する配管を固定するための配管押え金具を備え、該配管押え金具に配管を固定するための孔部を設けると共に該孔部を配管の管径に応じて大きさを調整自在としてあるので、配管を配管押え金具により固定した状態で配管を熱交換器に接続することができて、接続作業が容易に行えるものであり、また、配管の管径が異なる場合には配管を固定する孔部の大きさを調整することで、異なる管径の配管に一つの部材により対応できるものである。
【００２４】
また請求項２記載の発明にあっては、上記請求項１記載の発明の効果に加えて、放熱部材に熱交換器から吐出口までの流路における気流調整機能を設けるので、放熱部材をそのまま気流調整をするための部材として兼用して、吐出風の風量を調整することができ、この結果、別途気流を調整するための特別な部材を必要とせず、吐出風をの風量を調整して最適な風量、騒音値を確保することができるものである。
【００２６】
また請求項３記載の発明にあっては、上記請求項１記載の発明の効果に加えて、外部から内部に導入する配管を他方向から導入可能なように配管用孔部を多数設けてあるので、配管を外部から内部に導入する場合に、多方向からの導入が可能で、この結果、室内の配管設置範囲が広がり、また、浴室暖房乾燥機の設置場所を自在に設定することができるものである。
【図面の簡単な説明】
【図１】本発明の全体概略斜視図である。
【図２】同上の浴室暖房乾燥機の取付けを示す断面図である。
【図３】同上の浴室暖房乾燥機の正面図である。
【図４】同上の浴室暖房乾燥機の断面図である。
【図５】同上の他の実施形態の放熱部材を設けた例を示す浴室暖房乾燥機の断面図である。
【図６】（ａ）は同上の浴室暖房乾燥機の正面図であり、（ｂ）は下面図である。
【図７】同上の浴室暖房乾燥機の一部分解斜視図である。
【図８】同上の放熱部材の取付け箇所を示す正面図である。
【図９】同上の放熱部材の取付けを示す分解斜視図である。
【図１０】同上の放熱部材の取付け部分を示す斜視図である。
【図１１】同上の放熱部材の取付け位置を調整する例を示す説明図である。
【図１２】同上の配管をハウジングに導入する前の状態の正面図である。
【図１３】同上の配管を配管押え金具により押えて固定した状態の正面図である。
【図１４】（ａ）は同上の配管を配管押え金具で押えて固定した状態を示す断面図であり、（ｂ）は配管押え金具の平面図である。
【図１５】同上の配管を配管押え金具で押えて固定した状態の斜視図である。
【図１６】同上の配管押え金具の孔部を大きくした例を示す斜視図である。
【図１７】同上のハウジングの背面から見た斜視図である。
【図１８】同上の浴室暖房乾燥機を示し、（ａ）は背面図であり、（ｂ）は平面図であり、（ｃ）は右側面図であり、（ｄ）は左側面図である。
【図１９】（ａ）は遮蔽片を切り取る前の状態を示す説明図であり、（ｂ）は遮蔽片を切り取って配管用孔部を形成した状態を示す説明図である。
【図２０】同上の配管の導入の一例を示す正面図である。
【図２１】同上の配管の導入の他例を示す正面図である。
【図２２】同上の配管の導入の他例を示す更に他例の正面図である。
【図２３】同上の配管の導入の他例を示す更に他例の正面図である。
【図２４】同上の浴室暖房乾燥機を運転した場合における空気の流れを示す説明図である。
【図２５】従来例を示す一部分解斜視図である。
【符号の説明】
１  熱交換器
２  吐出口
３  放熱部材
４  配管押え金具
５  配管
６  孔部
７  浴室暖房乾燥機
８  配管用孔部
【図１】
0003563874.tif 000002
【図２】
0003563874.tif 000003
【図３】
0003563874.tif 000004
【図４】
0003563874.tif 000005
【図５】
0003563874.tif 000006
【図６】
0003563874.tif 000007
【図７】
0003563874.tif 000008
【図８】
0003563874.tif 000009
【図９】
0003563874.tif 000010
【図１０】
0003563874.tif 000011
【図１１】
0003563874.tif 000012
【図１２】
0003563874.tif 000013
【図１３】
0003563874.tif 000014
【図１４】
0003563874.tif 000015
【図１５】
0003563874.tif 000016
【図１６】
0003563874.tif 000017
【図１７】
0003563874.tif 000018
【図１８】
0003563874.tif 000019
【図１９】
0003563874.tif 000020
【図２０】
0003563874.tif 000021
【図２１】
0003563874.tif 000022
【図２２】
0003563874.tif 000023
【図２３】
0003563874.tif 000024
【図２４】
0003563874.tif 000025
【図２５】
0003563874.tif 000026